(57)【要約】【課題】  テンプレートを用いた画像編集において、多量の画像の中から所望の画像を効率よく選択可能とする。【解決手段】  テンプレート編集ウィンドウ９０には、顧客によって選択された画像編集用のテンプレート８１と、選択対象画像９１が並べられている。各画像には、その特徴を表す画像属性情報が設けられている。この画像属性情報が、テンプレート８１毎に予め定められている属性情報と一致した場合にのみ、選択対象画像９１として抽出され、テンプレート編集ウィンドウ９０に表示される。テンプレート８１での編集が予定されていない不要な画像コマが選択対象から除外され、効率よく所望の画像を選択することができる。【選択図】        図１１
2006277065.tif 000002
【特許請求の範囲】
【請求項１】
デジタル画像の配置位置が予め定められたテンプレートをモニタに表示しながら、前記テンプレート内の前記配置位置に前記デジタル画像を合成することで画像編集を行うレイアウト編集システムにおいて、
前記テンプレート毎に定められたテンプレート属性情報を記憶する記憶手段と、
前記デジタル画像の特徴を表す画像属性情報を生成する属性情報生成手段と、
選択された前記テンプレートに対応する前記テンプレート属性情報と、前記画像属性情報とが一致した場合にのみ、対応する前記デジタル画像を抽出する画像抽出手段と、
選択された前記テンプレートと抽出された前記デジタル画像とを前記モニタに並べて表示する表示制御手段と、を備えたことを特徴とするレイアウト編集システム。
【請求項２】
前記デジタル画像はデジタルカメラを用いた撮影で得られるデジタル撮影画像であり、前記画像属性情報は撮影条件の情報を含むことを特徴とする、請求項１記載のレイアウト編集システム。
【請求項３】
前記画像属性情報は、前記デジタル撮影画像に対応する画像データを画像解析することで得られる被写体情報を含むことを特徴とする、請求項２記載のレイアウト編集システム。
【請求項４】
前記テンプレート属性情報は、主要被写体が合成される合成位置を表す合成位置情報を含み、前記画像属性情報は、主要被写体の特徴部分の位置情報を表す特徴点位置情報を含み、前記特徴部分が前記合成位置に一致するようにして、前記テンプレート内に前記デジタル画像が合成されることを特徴とする、請求項１〜３の何れか１項に記載のレイアウト編集システム。
【請求項５】
デジタル画像の配置位置が予め定められたテンプレートをモニタに表示しながら、前記テンプレート内の前記配置位置に前記デジタル画像を合成することで画像編集を行うレイアウト編集方法であって、
前記デジタル画像の特徴を表す画像属性情報を生成し、  選択された前記テンプレートに対応する前記テンプレート属性情報と一致する画像属性情報を有する前記デジタル画像のみを抽出し、  選択された前記テンプレートと抽出された前記デジタル画像とを前記モニタに並べて表示することを特徴とする、レイアウト編集方法。
【発明の詳細な説明】
【技術分野】
【０００１】
本発明は、例えば記念写真や商品撮影を主として行われる写真スタジオにおいて適用され、テンプレート内の所定位置に撮影画像等の画像を合成することで画像のレイアウトを効率よく行うことが可能なレイアウト編集装置及び方法に関する。
【背景技術】
【０００２】
近年、記念写真や商品の撮影を専門に行う写真スタジオに、デジタルカメラで撮影した画像をパーソナルコンピュータ（情報処理装置）のモニタ上に表示し、その場で画像のプリント注文を受け付けることができるようにした写真撮影システムが導入されている。プリント注文時に仕上がり具合をモニタにてプレゼンテーションすることで、顧客が仕上がり画像を即座に確認することができ、これにより顧客の購買意欲を刺激することができるという利点がある。
【０００３】
プリント注文の受け付けは、デジタル撮影により得られた画像をモニタに一覧表示し、所望の画像・プリント枚数を顧客に選択させることにより行われる。また、記念写真撮影などでは、サービスの付加価値を高めるため、画像をアルバム化して顧客に提供するサービスが好適に行われている。この場合、複数用意されたアルバム作成用のテンプレートから所望のテンプレートを選択し、顧客が選択した画像をテンプレート内の所定位置にはめ込む（場合により、選択画像を拡大・縮小する）ことにより、簡単かつ迅速にアルバムを作成することができる（例えば、特許文献１及び特許文献２参照）。
【特許文献１】特開２００３−１６７７２３号公報
【特許文献２】特開２００４−２４０９５０号公報
【発明の開示】
【発明が解決しようとする課題】
【０００４】
写真スタジオにおける撮影では、同じ被写体であっても露出や構図などの撮影条件を変えて複数回の撮影が行われるのが一般的である。また、撮影のデジタル化に伴い、簡便な操作で不要な撮影画像を消去することができるため、結果として撮影画像の数が非常に多くなる。したがって、テンプレートを用いてアルバムを作成するというシステムは、ストーリー性のあるアルバムを作成する点で商品としての付加価値を高めることができるが、膨大な数の選択対象画像から顧客自らが所望の画像を選択する必要があるため、選択作業を行う顧客に過大な負担を強いるものとなってしまう。そこで、顧客の負担を軽減するために、画像選択に要する手間をできる限り小さくすることが望まれていた。
【０００５】
本発明は、上記課題を鑑みてなされたものであって、テンプレートを用いて画像のレイアウト編集を行う場合に、画像選択を効率よく行うことが可能なレイアウト編集方法及びシステムを提供することを目的とする。
【課題を解決するための手段】
【０００６】
上記目的を達成するため、本発明では、テンプレートに予め割り当てられる属性情報と、合成すべき画像に割り当てられる属性情報とが一致する場合にのみ、選択対象画像として抽出することで、効率の良いレイアウト編集を可能とする。すなわち、本発明では、テンプレート毎に定められたテンプレート属性情報を記憶する記憶手段と、デジタル画像の特徴を表す画像属性情報を生成する属性情報生成手段と、選択されたテンプレートに対応するテンプレート属性情報と、画像属性情報とが一致した場合にのみ、対応する前記デジタル画像を抽出する画像抽出手段と、選択されたテンプレート画像と抽出されたデジタル画像とをモニタに並べて表示する表示制御手段と、を備えたことを特徴とする。
【０００７】
デジタル画像はデジタルカメラを用いた撮影で得られるデジタル撮影画像であり、画像属性情報は撮影条件の情報を含むことが好ましい。さらに、画像属性情報は、デジタル撮影画像に対応する画像データを画像解析することで得られる被写体情報を含むことを好ましい。
【０００８】
テンプレート属性情報は、主要被写体が合成される合成位置を表す合成位置情報を含み、画像属性情報は、主要被写体の特徴部分の位置情報を表す特徴点位置情報を含むことが好ましい。この場合は、特徴部分が合成位置に一致するようにして、デジタル画像をテンプレートに合成することが好ましい。
【発明の効果】
【０００９】
本発明によれば、選択されたテンプレートに対応するテンプレート属性情報と、画像属性情報とが一致した場合にのみ、対応するデジタル画像を抽出するとともに、選択されたテンプレートと抽出されたデジタル画像とをモニタに並べて表示するようにしたので、不必要な画像コマを選択対象から除外することができ、したがって画像選択における顧客の負担を軽減することができる。
【００１０】
また、デジタル撮影画像に対応する画像データを画像解析することで画像属性情報を得るようにしたので、自動にて画像属性情報を生成することができる。さらに、テンプレート内の合成位置と、画像の特徴部分に対応する特徴点位置とを一致させて合成するから、見栄えの良いテンプレート合成写真を簡便に得ることができる。
【発明を実施するための最良の形態】
【００１１】
図１に示す写真撮影システム２は、婚礼や七五三などの記念撮影や商品撮影を専門に取り扱う写真スタジオに設置され、デジタルカメラ１０で撮影して得られた画像データ、あるいは、メモリカードやＣＤ−Ｒなどの記録媒体１１に記録された画像データ（写真フイルムをＴＩＦＦまたはＪＰＥＧ形式でデジタイズしたものも含む）を、情報処理装置としてのパーソナルコンピュータ（以下、ＰＣと略す）１２に取り込み、その画像データに対応する画像（デジタル画像）をＰＣ１２のモニタ１３上に表示して画像のプリント注文を受け付け、写真スタジオに備え付けのプリンタ１４や、プリントラボ１５に設置された業務用プリンタ１６で、注文内容に応じたプリントを作成するものである。
【００１２】
デジタルカメラ１０及びプリンタ１４は、例えば、ＩＥＥＥ１３９４、ＵＳＢ（Universal Serial Bus）などに準拠した通信ケーブルや、無線ＬＡＮなどによりＰＣ１２に接続され、ＰＣ１２との間でデータの相互通信が可能となっている。なお、記録媒体１１も同様に、ＰＣ１２に備えられる専用のドライバを介してＰＣ１２との間でデータの送受信が可能とされている。また、プリントラボ１５へのプリント注文は、例えば、インターネット回線を利用したネット注文や、注文書を介した注文などによって行われる。
【００１３】
デジタルカメラ１０の内部構成を示す図２において、ＣＰＵ２０は、データバス２１を介して各部に接続され、デジタルカメラ１０全体の動作を統括的に制御する。ＲＯＭ２２には、デジタルカメラ１０を動作させるための各種プログラムやデータが記憶されている。ＣＰＵ２０は、これらのプログラムやデータをＲＯＭ２２から作業用メモリであるＲＡＭ２３に読み出して、各種処理を実行する。また、ＣＰＵ２０は、シャッタレリーズを行わせるためのレリーズボタンや、絞り、シャッタ速度、ズーム倍率、撮影感度などを設定するための各種設定ボタンで構成される操作部２４からの入力を受けて、デジタルカメラ１０の各部を動作させる。
【００１４】
撮像部２５は、周知の撮像レンズやＣＣＤを備え、被写体の光学像を光電変換してデジタルの画像データを出力する。撮像部２５から出力された画像データは、ＲＡＭ２３に一旦格納される。この画像データは、ホワイトバランス処理などの画像処理が施されていない原画像データ（ＲＡＷデータ）であり、例えば、ＲＧＢの色毎に１２ビットで表現される階調値を持った多数の画素データから構成される。
【００１５】
画像処理回路２６は、ＲＡＭ２３から原画像データを読み出して、ＲＧＢの色毎の階調値を８ビットに縮小するとともに、ホワイトバランス処理や階調変換処理などの適当な画像処理を施す。
【００１６】
圧縮・伸長処理回路２７は、画像処理回路２６で画像処理が施された処理済み画像データに対して、ＪＰＥＧで定められたフォーマットに従って圧縮処理を施し、圧縮画像データを出力する。また、処理済み画像データに間引き演算を施すことで、例えば、１２８０×９６０ピクセルのＪＰＥＧ画像データ（以下、サムネイル画像データと称す）を出力する。撮像部２５から出力された原画像データ、圧縮・伸長処理回路２７から出力された圧縮画像データおよびサムネイル画像データは、後述する撮影情報（撮影光源や露出状況など）の付加情報とともに一つの画像データファイルとしてまとめられ、メディアコントローラ２８を経由してメモリカード２９に記録される。
【００１７】
ＬＣＤ３０は、ＬＣＤドライバ３１の制御の下に、被写体像のスルー画像を表示するとともに、撮影した画像を再生表示する。通信Ｉ／Ｆ３２は、上記画像データファイルを通信ケーブルや無線ＬＡＮを介してＰＣ１２に送信する。
【００１８】
ＰＣ１２の内部構成を示す図３において、ＰＣ１２は、データバス４０を介して各部に接続され、ＰＣ１２全体の動作を統括的に制御するＣＰＵ４１と、後述する写真撮影システム用プログラム（以下、単にプログラムと称す）４２などのＰＣ１２を動作させるための各種プログラムや、これらのプログラムに用いられる各種のデータ（例えば、後述するテンプレートデータベース（DB）４３，属性定義DB４４，画像データファイル４５）などが記憶された記憶手段としてのハードディスクドライブ（ＨＤＤ）４６と、ＣＰＵ４１から画像データを受け渡された際に、その画像データに対して種々の画像処理を行うデジタルシグナルプロセッサー（ＤＳＰ）４７と、モニタドライバ４８の制御の下に、後述する顧客管理ウィンドウ６０（図８参照）や、選択ウィンドウ７０（図９参照）などを表示するモニタ１３と、デジタルカメラ１０や記録媒体１１から送信される各画像データの受信とともに、プリンタ１４や業務用プリンタ１６へのプリント指令の送信を媒介する通信Ｉ／Ｆ４９とから構成されている。
【００１９】
ＣＰＵ４１は、プログラム４２や各種のデータをＨＤＤ４６から作業用メモリであるＲＡＭ５０に読み出して、各種処理を実行する。また、ＣＰＵ４１は、キーボードやマウスなどからなる操作部５１を介してオペレータからの操作指示を受け、ＰＣ１２の各部を動作させる。
【００２０】
ＤＳＰ４７には、画像解析回路５２と、属性比較回路５３とが備えられている。画像解析回路５２は、ＨＤＤ４６内の画像データファイル４５に含まれる画像データ（原画像データ、圧縮画像データ、サムネイル画像データのいずれか）を読み出して、主要被写体の位置、服飾、人数などの情報を周知の画像解析手法を用いて判定する。属性比較回路５３は、後述するように、画像データファイル４５に含まれる撮影情報や被写体情報などの属性情報と、後述するアルバム作成用のテンプレート毎に設けられる属性情報とを比較して、これらが一致するか否かを判定する。
【００２１】
ＨＤＤ３７には、上述したものの他、例えば、顧客の個人情報やプリント注文の内容などを示す顧客管理データが記憶される。また、ＨＤＤ４６内に記憶されるテンプレートDB４３には、後述するアルバム作成用のテンプレートのデータと、そのテンプレートに含まれる属性情報（テンプレート属性情報）とが対応づけて記憶される。また、属性定義DB４４には、撮影情報や被写体情報などの属性情報の種類がデータベース化されている。
【００２２】
図４に示すように、属性DB４４は、結婚式や成人式、卒業式といった撮影内容を表す撮影内容情報４４ａと、各撮影内容情報４４ａに対応づけられ、撮影光源、背景、露出などといった撮影環境情報の種別や、被写体の服飾、人数といった被写体情報の種別を含む属性情報４４ｂとがデータベース化されており、この属性定義DB４４内の情報に基づいて画像データファイルの属性情報及びテンプレート属性情報の内容が決定される。図４に示す例では、結婚式での撮影において、背景情報（例えば、色バック、式場セット、ロケなど）、露出情報（例えば、アンダー、適正、オーバー）、光源情報（例えば、ハロゲン光、蛍光灯、光源なし等）、といった撮影情報が定義づけられており、被写体撮影時にこれらのうちから１つずつ選択される。一方、被写体情報としては、服装情報（例えばウェディングドレス、白無垢、ドレスなど）、構図・ポーズ情報（例えば、主要被写体の人数、性別、主要被写体の位置・姿勢など）といった情報が設けられており、この被写体情報は画像解析時に判定される。
【００２３】
図５は、アルバム作成用のテンプレート（例えば、図１０参照）に関連づけられたテンプレートDB４３の内容を示したものである。テンプレートDB４３は、テンプレートの識別ID毎に、撮影内容を表す定義情報と上記テンプレート属性情報とが設けられ、識別IDにより、HDD４６内のテンプレートデータと対応づけられる。図５の例では、識別IDが0001であるテンプレートについて、“結婚式・ウェディングドレス”の定義情報が設けられており、ウェディングドレス姿の花嫁用のテンプレートであることを意味する。そして、対応する属性情報では、“ハロゲン光、色バック、露出アンダー”といった撮影情報や、“１人の女性の被写体、白いドレスの被写体”といった被写体情報が設けられており、後述する画像データファイル４５に含まれる属性情報と対応づけられる。また、画像を合成する差異の基準点を表す合成位置情報が属性情報として更に設けられている。この合成位置情報については後述する。
【００２４】
図６に示すように、画像データファイル４５には、上述の原画像データ、処理済み画像データ、サムネイル画像データの他、付加情報としての撮影内容データ４５ａ，撮影情報データ４５ｂ、被写体解析情報データ４５ｃ及び特徴点位置データ４５ｄが設けられている。撮影内容データ４５ａは、撮影の内容（例えば、結婚式、成人式など）を表す。撮影情報データ４５ｂは、撮影光源（例えば、ハロゲン光）、背景色の有無（例えば、色バック）、露出の程度（例えば、露出アンダー）などの情報が含まれ、被写体の撮影中にデジタルカメラ１２によって取得される。一方、被写体解析情報データ４５ｃには、被写体の性別、人数、服飾等の情報が記録されており、ＰＣ１２内の画像解析回路５２において画像データ（例えば処理済み画像データないしサムネイルデータ）を解析することで得られる。この撮影情報データ４５ｂと被写体解析情報データ４５ｃは、属性比較回路５３においてテンプレートＤＢ４３に記憶され各テンプレートが有する属性情報と比較される。
【００２５】
この被写体解析情報データ４５ｂは、例えば図７に示すフローチャートに従って決定される。まず画像ファイル内の画像データを読み出し、周知の顔位置判定手法に従って、被写体の顔位置を判定する（ステップＳ０１）。次に、判定された顔位置情報より、服飾位置を推定し（Ｓ０２）、撮影内容（例えば、結婚式や成人式）から、被写体の服飾の候補を属性定義ＤＢ４４より抽出する（Ｓ０３）。そして、服飾画像の色調、周波数特性より、服飾の種類を推定する。例えば、服飾の色調が白である場合には、ウェディングドレスか白無垢であると推定し、服飾画像の周波数特性が低周波領域においてフラットである場合は、濃淡の変動が小さい白無垢であり、そうでない場合はレースによる濃淡が多いウェディングドレスであると推定する（Ｓ０４）。同様の判定手法により、被写体の人数、性別、ポーズ（被写体が立っているか座っているか等）を判定する。
【００２６】
また、各画像データファイル４５には、主要被写体の位置（例えば顔位置）の座標を表す特徴点位置情報４５ｄが備えられている。顧客によって選択された画像をテンプレートの所定位置で合成してアルバム写真を作成する際に、テンプレートＤＢ４３で定められた合成位置と特徴点位置とが一致するように合成される。テンプレートＤＢ４３内の合成位置情報は予め定められており、画像データファイル４５の特徴点位置情報は画像解析中（例えば、顔位置が判定された時点）に定められる。
【００２７】
プログラム４２は、デジタルカメラ１０による撮影、記録媒体１１からの画像データの取り込み、顧客へのプレゼンテーションおよびプリント注文する画像の選択、トリミングや色調整などの検定、プリント注文、発注、照合までの工程を、ＰＣ１２で一括して処理することができるようにしたものであり、ＣＤ−ＲＯＭ、ＤＶＤ−ＲＯＭなどの記録媒体からＨＤＤ４６にインストールされる。
【００２８】
以下、テンプレートに画像を割り付けて画像編集を行う手順について説明する。操作部５１を介した外部操作によってプログラム４２が起動すると、モニタ１３には、図８に示す顧客管理ウィンドウ６０が表示される。顧客管理ウィンドウ６０は、操作部５１からの操作入力により、新規顧客の登録や登録内容の修正、削除、顧客の検索などを行うためのもので、写真撮影システム２の顧客の個人情報（オーダーＩＤ、受付ＩＤ、氏名、電話番号）とともに、撮影日時、撮影内容（婚礼、七五三、赤ちゃんなど）、工程の進行状況などが一覧６１として表示される。また、顧客管理ウィンドウ６０の上部には、対象となっている顧客の情報６２が表示される。対象となっている顧客は、一覧６１上でハイライト表示６３（図中ハッチングで示す）により他の顧客と区別される。なお、対象となる顧客の選択は、例えば、操作部５１のマウスの操作に対応するポインタ６５を、各顧客の欄に合わせてクリックし、あるいは操作部５１のキーボードに設けられた十字キーを押圧操作することによって行われる。
【００２９】
顧客管理ウィンドウ６０の下部には、各工程に移行するためのボタン群（「撮影」、「取り込み」、「選択」、「注文」、「合成」、「検定」、「ラボ発注」、「自家処理」、および「照合」ボタン）６４が配されている。一覧６１で対象となる顧客を選択した後、これらのボタン群６４のいずれかにポインタ６５を合わせてクリックすることで、対応する工程に移行するとともに、各工程用のウィンドウに表示が切り替わる。プログラム４２は、撮影工程や取り込み工程で得られた各画像データと個人情報や注文情報などの顧客管理データとを互いに関連付けてＨＤＤ４６に記憶し、顧客毎に一括した管理を行えるようにしている。
【００３０】
顧客管理ウィンドウ６０において、「撮影」ボタンがクリックされると、デジタルカメラ１０による被写体の撮影を補助する撮影工程に移行する。撮影工程にあるＰＣ１２は、デジタルカメラ１０から送信される各画像データを、顧客管理データと関連付けてＨＤＤ４６に記憶していくとともに、その画像データで表される画像をモニタ１３に表示するなどして、撮影を補助する。「取り込み」ボタンがクリックされると、記録媒体１１から画像データを取り込む取り込み工程に移行する。
【００３１】
「選択」ボタンがクリックされると、モニタ１３の表示が、図９に示す選択ウィンドウ７０に切り替わり、顧客へのプレゼンテーションおよびプリント注文する画像の選択を行う選択工程に移行する。選択ウィンドウ７０の画像表示領域７１には、顧客管理ウィンドウ６０で選択された顧客について、撮影工程や取り込み工程で取得された全ての画像７２が表示される。分割表示された個々の画像コマ７１ａには、画像７２とともに、その画像７２を表す圧縮画像データのファイルネームと、その画像７２をプリント注文するか否かの選択結果を入力するチェックボックス７３とが表示されている。
【００３２】
チェックボックス７３には、プリント注文の対象にすることを示す「○」ボタンと、検討中を示す「△」ボタンと、プリント注文の対象外にすることを示す「×」ボタンとが設けられており、オペレータが顧客とともに各画像７２の映り具合などを判定し、その結果をチェックボックス７３に入力していくことにより、プリント注文する画像７２の選択が行われる。また、画像表示領域７１の右端には、全ての画像７２が同時に表示しきれない場合に、表示すべき画像７２を順次送っていくためのスクロールバー７４が設けられている。
【００３３】
画像表示領域７１の下部には、「選択終了」ボタン７５と、「環境設定ボタン」７６と、「テンプレート選択」ボタン７７とが設けられている。プリント注文する画像７２の選択が終了した後、「選択終了」ボタン７５をクリックすると、選択工程が終了し、モニタ１３の表示が、選択ウィンドウ７０から顧客管理ウィンドウ６０に戻る。「環境設定ボタン」７６がクリックされると、選択ウィンドウ７０内に環境設定リスト（図示は省略）が表示され、例えば、画像表示領域７１に表示する画像７２のサイズ（分割数）などといった選択工程に係る各種の環境設定を設定することができる。
【００３４】
「テンプレート選択」ボタン７７がクリックされると、図１０に示すように、アルバム作成用のテンプレートを選択するためのテンプレート選択ウィンドウ８０が表示される。テンプレート選択ウィンドウ８０には、例えば４つのテンプレート８１〜８４が同時に表示され、編集を行うべきテンプレートを選択することができる。各テンプレート８１〜８４には、顧客によって選択された画像を嵌め込むためのレイアウト枠８１ａ〜８４ａ（図中、斜線で表示）が設けられている。予め用意されているテンプレートが多数ある場合には、スクロールバー８５を操作することによりテンプレートを順次送り表示する。
【００３５】
テンプレート選択ウィンドウ８０の下部には、テンプレートを選択するための選択ボタン８６，いったん選択されたテンプレートをキャンセルするためのキャンセルボタン８７，テンプレートの選択を完了し、再び画像コマを選択して編集を行うための選択完了ボタン８８とが設けられる。
【００３６】
前述したように、各テンプレート８１〜８４には、それぞれ対応する属性情報がテンプレートＤＢ４３内に記憶されており、顧客によって選択されたテンプレートと同一の属性情報を有する画像のみを表示することができる。例えば、図中左上のテンプレート８１を選択して、選択完了ボタン８８をクリックすると、図１１に示すレイアウト編集ウインドウ９０が表示される。図１１に示すように、レイアウト編集ウィンドウ９０には、左側に選択されたテンプレート８１が、右側にテンプレート８１に嵌め込むべき画像９１の一覧が表示される。選択対象となる画像９１が多数ある場合には、スクロールバー９２を操作することによりこれらを順次送り表示する。
【００３７】
例えば、選択されたテンプレート８１が図５のテンプレートＩＤ0001に対応している場合、その属性情報としてハロゲン光、背景色有り、露出アンダー、女性１人の被写体、等といった属性情報を有する。そして、画像ファイル４５内の属性情報とテンプレート８１の属性情報とを比較し、一致した画像のみを抽出して、レイアウト編集ウィンドゥ９０に表示される。これにより、ウェディングドレスが写っていない被写体を選択対象から除外することができ、顧客は所望の画像を容易に選択することができる。
【００３８】
選択された画像をテンプレート８１内のレイアウト枠８１ａにドラッグ移動することで、テンプレート８１内に選択画像が嵌め込まれる。嵌め込まれる位置は、自動で合成される場合には、テンプレート８１内の合成位置（例えば、図中黒丸で示した位置）８１ｂと、画像９１の特徴点位置（例えば、顔位置）９１ａを基準にして合成することができる。自動合成を行わない場合には、オペレータ又は顧客がＰＣ１２の操作部４６を操作して、手動で嵌め込み位置を決定する。
【００３９】
画像合成後、「注文」ボタンが選択されると、合成された画像のプリントサイズ、プリント枚数などを入力する注文工程に移行し、オリジナルのフォトアルバムを作成する合成工程に移行する。「検定」ボタンが選択されると、写真撮影システム２が設置された写真スタジオで推奨する仕上がりとなるように、画像データに色補正や階調補正を施す検定工程に移行する。
【００４０】
「ラボ発注」ボタンが選択されると、注文工程で設定されたプリントサイズおよびプリント枚数にて、選択工程で選択された画像のプリント注文をプリントラボ１５の業務用プリンタ１６に発注するラボ発注工程に移行する。「自家処理」ボタンが選択されると、プリント注文をプリンタ１４に発注する自家処理工程に移行する。「照合」ボタンが選択されると、プリントラボ１５の業務用プリンタ１６に発注したプリントが写真スタジオに納品されたときに、プリントの内容確認・照合を行うためのインデックスプリントを作成する照合工程に移行する。
【００４１】
次に、上記構成を有する写真撮影システム２の作用について、図１２のフローチャートを参照して説明する。まず、ＰＣ１２とデジタルカメラ１０、プリンタ１４、および業務用プリンタ１６とを相互通信可能なように接続し、写真撮影システム２を構築する。
【００４２】
次いで、操作部４３を操作してプログラム３８を起動し、モニタ１３に顧客管理ウィンドウ６０（図８参照）を表示させる。顧客管理ウィンドウ６０では、新規顧客の登録や登録内容の修正、削除、顧客の検索などが行われる（ステップＳ１１）。
【００４３】
「撮影」ボタンがクリックされて撮影工程に移行し、デジタルカメラ１０による撮影が開始されると、デジタルカメラ１０は、光源の種類や露出の程度などといった撮影情報を取得する。そして、撮影により得られた原画像データ、圧縮画像データ、およびサムネイル画像データが画像ファイル４５としてまとめられ、さらに撮影情報データが付加され、通信Ｉ／Ｆ３２，４９を経由してＨＤＤ４６に記憶される（Ｓ１２）。取り込み工程では、記録媒体１１からＨＤＤ４６への画像ファイルの取り込みが行われる。撮影工程、及び取り込み工程でＨＤＤ４６に記憶される各画像データは、顧客管理データと互いに関連付けられて、顧客毎に一括管理される。
【００４４】
さらに、ＰＣ１２において、画像ファイル内に含まれる画像データを解析し、被写体の服飾などの属性情報（被写体解析情報）を取得する（Ｓ１３）。この情報は、画像ファイル４５に撮影情報とともに記憶されて属性情報として用いられ（Ｓ１４）、後述するテンプレートの選択時においてテンプレートＤＢ４３に記憶された属性情報と比較される。
【００４５】
被写体の撮影が完了し、「選択」ボタンがクリックされて選択工程に移行すると（Ｓ１５）、モニタ１３の表示が、顧客管理ウィンドウ６０から選択ウィンドウ７０（図９参照）に切り替わる。選択ウィンドウ７０には、顧客管理ウィンドウ６０で選択された顧客についての全ての画像７２が表示され、オペレータが顧客とともに各画像７２の映り具合などを判定し、その結果をチェックボックス７３に入力していくことにより、プリント注文する画像７２の選択が行われる。
【００４６】
選択ウィンドウ７０において、テンプレートを用いて画像編集を行う場合は、テンプレートボタンをクリックする。これにより、テンプレート選択ウィンドウ８０（図１０参照）が表示され、顧客は所望のテンプレートを選択することができる（Ｓ１６）。この選択の際、各テンプレートの定義情報（例えば、ウェディングドレス姿の花嫁用、新郎・新婦の写真用など）が、テンプレート８１〜８４とともに表示されていることが好ましい。
【００４７】
テンプレートが選択されると、当該テンプレートに含まれる属性情報と、顧客情報と対応する画像データファイル内の属性情報とが比較され（Ｓ１７）、これらが一致する画像データファイルのみが読み出されて、テンプレート編集ウィンドウ９０（図１１参照）に抽出された画像が一覧表示される（Ｓ１８）。これにより、不必要な画像が選択対象から外れるので、顧客は所望の撮影画像を簡単かつ迅速に選択することができる。
【００４８】
画像の選択後（Ｓ１９）、選択された画像がテンプレートの所定位置に組み込まれる。このとき、自動で位置決め設定がなされている場合は（Ｓ２０）、テンプレートの特徴点と撮影画像の特徴点（顔位置）とが一致するように、画像の組み込み位置、サイズが自動で決定される（Ｓ２１）。これにより、簡便な作業にてテンプレートへの画像組み込みを行うことができる。一方、自動で位置決め設定がなされていない場合でも、オペレータがマニュアル操作により選択画像をテンプレート内に組み込むことができる（Ｓ２２）。
【００４９】
テンプレートに組み込まれた画像９１を確認しながら、「選択終了」ボタン９４をクリックすることで、選択工程が終了する。
【００５０】
上記実施形態では、属性情報が完全に一致する場合にのみ画像を抽出しているが、例えば重要度の低い属性情報と高い属性情報とを予め定めておき、重要度の低い属性情報のみが異なっていた場合にも画像を抽出するように構成しても良い。また、上記実施形態では、属性情報は自動で生成しているが、オペレータないし顧客がＰＣ１２を操作して属性情報を手動入力しても良い。
【００５１】
なお、上記実施形態では、記憶手段として、いわゆる内蔵型のＨＤＤを示しているが、インターネットやＬＡＮ、さらにはＵＳＢやＩＥＥＥ１３９４などを介して接続される、いわゆる外付け型のＨＤＤとしてもよい。また、ＨＤＤに限ることなく、リード／ライトが可能で、かつ不揮発性のメモリであれば、例えば、ＲＡＭやフラッシュＲＯＭなどの、他のメモリを用いてもよい。
【００５２】
また、操作の簡便化を図るために、モニタ１３をタッチパネルで構成し、モニタ１３の画面に顧客が指を接触させることで、各種選択操作を行わせるようにしてもよい。
【００５３】
上記実施形態では、結婚式での写真撮影を例にして説明しているが、本発明はその他の撮影形態、例えば商品撮影を行い、テンプレートに従って広告用のパンフレットを作成する場合にも、同様に適用することができる。
【図面の簡単な説明】
【００５４】
【図１】写真撮影システムの構成を示す概略図である。
【図２】デジタルカメラの内部構成を示すブロック図である。
【図３】パーソナルコンピュータの内部構成を示すブロック図である。
【図４】テンプレートＤＢの内容を示す説明図である。
【図５】属性情報ＤＢの内容を示す説明図である。
【図６】画像データファイルの内容を示す説明図である。
【図７】画像解析の手順の一例を示すフローチャートである。
【図８】顧客管理ウィンドウを示す説明図である。
【図９】画像選択ウィンドウを示す説明図である。
【図１０】テンプレート選択ウィンドウを示す説明図である。
【図１１】選択されたテンプレートと、当該テンプレートの属性情報に基づき抽出された画像を同時に表示して、レイアウト編集を行うための編集ウィンドゥを示す説明図である。
【図１２】写真撮影システムの選択工程における処理手順を示すフローチャートである。
【符号の説明】
【００５５】
２  写真撮影システム
１０  デジタルカメラ
１２  パーソナルコンピュータ（ＰＣ、情報処理装置）
４２  写真撮影システム用プログラム
４３  テンプレートＤＢ
４４  属性定義ＤＢ
４５  画像データファイル
８０  テンプレート選択ウィンドウ
８１〜８４  テンプレート
９０  編集ウィンドウ
【図１】
2006277065.tif 000003
【図２】
2006277065.tif 000004
【図３】
2006277065.tif 000005
【図４】
2006277065.tif 000006
【図５】
2006277065.tif 000007
【図６】
2006277065.tif 000008
【図７】
2006277065.tif 000009
【図８】
2006277065.tif 000010
【図９】
2006277065.tif 000011
【図１０】
2006277065.tif 000012
【図１１】
2006277065.tif 000013
【図１２】
2006277065.tif 000014